(57)【要約】【課題】接続時に安定した構造を有する端子を提供する。【解決手段】弾性撓み部２には、タブ部１１の挿入方向Ｄの上流位置に配置され、且つ、タブ部１１の挿入方向Ｄの直交方向Ｅに間隔を置いて配置された２つのインデント部４、５とタブ部１１の挿入方向Ｄの下流位置に配置され、且つ、タブ部１１の挿入方向Ｄの直行方向Ｅに対し２つの前方インデント部４，５の間に配置された後方インデント部６とが設けられた端子。【選択図】図３
2015204264.tif 000002
【特許請求の範囲】
【請求項１】
相手端子が挿入される箱部と、前記箱部の内部に配置された弾性撓み部と、前記弾性撓み部の対向側に配置された対向接触部とを有し、前記弾性撓み部と前記対向接触部の間に挿入された相手端子のタブ部が前記弾性撓み部の撓み変形によって挿入され、前記タブ部が前記弾性撓み部の撓み復帰力を接触荷重として接触する端子において、
前記弾性撓み部には、前記タブ部の挿入方向Ｄの直交方向に間隔を置いて配置された２つのインデント部が設けられたことを特徴とする端子。
【請求項２】
前記タブ部の挿入方向Ｄの前記インデント部の下流位置に配置され、且つ、前記タブ部の挿入方向の直行方向に対し２つの前記インデント部の間に配置された後方インデント部が設けられたことを特徴とする請求項１記載の端子。
【発明の詳細な説明】
【技術分野】
【０００１】
この発明は、端子に係り、詳細には接続時に安定した構造を有する端子に関する。
【背景技術】
【０００２】
従来、図８に示すように、相手端子が挿入される箱部と、箱部の内部に配置された弾性撓み部と、弾性撓み部の対向側に配置された対向接触部とを有する。弾性撓み部と対向接触部の互いの対向位置に互いに向かって突出するインデント部２３，１６ａがそれぞれ設けられている。
【０００３】
また、図９、図１０に示すように、相手端子が挿入される箱部と、箱部の内部に配置された弾性撓み部と、弾性撓み部の対向側に配置された対向接触部とを有する。弾性撓み部には、相手端子のタブ部の挿入方向に間隔を置いて前方インデント部と後方インデント部とが１箇所ずつに設けられている（特許文献１、２を参照）。
【先行技術文献】
【特許文献】
【０００４】
【特許文献１】特開２０００−１５００４１号公報
【特許文献２】特開平１１−１４４７８９号公報
【発明の概要】
【発明が解決しようとする課題】
【０００５】
特開２０００−１５００４１号の端子では、相手端子のタブ部の挿入方向を軸心とする揺動も、相手端子のタブ部の挿入方向の直行方向を軸芯とする揺動も抑制できない。そのため、接触状態が不安定で接触抵抗が安定せず、耐振動性も悪い。
【０００６】
特開平１１−１４４７８９号の端子では、相手端子のタブ部の挿入方向の直行方向を軸芯とする揺動を前方インデント部と後方インデント部によって抑制できるが、相手端子のタブ部の挿入方向を軸心とする揺動を抑制できない。そのため、接触状態が確実に安定しないことから、接触抵抗が安定せず、耐振動性も悪い。
【０００７】
そこで、本発明は、接触状態が安定して接触抵抗が安定すると共に耐振動性が良い端子を提供することを目的とする。
【課題を解決するための手段】
【０００８】
本発明は上述の問題を解決するためのものであり、請求項１に係る発明は、相手端子が挿入される箱部と、前記箱部の内部に配置された弾性撓み部と、前記弾性撓み部の対向側に配置された対向接触部とを有し、前記弾性撓み部と前記対向接触部の間に挿入された相手端子のタブ部が前記弾性撓み部の撓み変形によって挿入され、前記タブ部が前記弾性撓み部の撓み復帰力を接触荷重として接触する端子において、前記弾性撓み部には、前記タブ部の挿入方向Ｄの直交方向Ｅに間隔を置いて配置された２つのインデント部が設けられたことを特徴とする。
【０００９】
請求項２に係る発明は、前記タブ部の挿入方向Ｄの前記インデント部の下流位置に配置され、且つ、前記タブ部の挿入方向Ｄの直行方向Ｅに対し２つの前記インデント部の間に配置された後方インデント部が設けられたことを特徴とする。
【発明の効果】
【００１０】
本発明によれば、相手端子のタブ部の挿入方向を軸心Ｃ１とする揺動を２つの前方インデント部によって抑制でき、相手端子のタブ部の挿入方向の直行方向を軸芯Ｃ２とする揺動を前方インデント部と後方インデント部によって抑制できるため、接触状態が安定して接触抵抗が安定すると共に耐振動性が良いという効果を奏する。
【図面の簡単な説明】
【００１１】
【図１】端子を説明する説明図である。
【図２】ハウジング構造を説明する説明図である。
【図３】端子の箱部の構造を説明する説明図である。
【図４】端子のインデント部の構造を説明する説明図である。
【図５】端子へのタブ部の挿入を説明する説明図である。
【図６】端子へのタブ部の挿入を説明する斜視図である。
【図７】端子へのタブ部の挿入を説明する説明図である。
【図８】従来の技術を説明する従来図である。
【図９】従来の技術を説明する従来図である。
【図１０】従来の技術を説明する従来図である。
【発明を実施するための形態】
【００１２】
以下、本発明の実施形態を図面を参照して説明する。
【００１３】
図１を参照する。安定した接触を確保する為の端子には箱部１と、電線のシール性を確保するためのゴム栓１Ａを備えている。
【００１４】
図２を参照する。外部からの絶縁を確保するためのハウジング１Ｂである。
【００１５】
図３、図４を参照する。相手端子が挿入される箱部１と、前記箱部１の内部に配置された弾性撓み部２と、前記弾性撓み部２の対向側に配置された対向接触部３とを有し、前記弾性撓み部２と前記対向接触部３の間に挿入された相手端子のタブ部１１が前記弾性撓み部２の撓み変形によって挿入され、前記タブ部１１が前記弾性撓み部２の撓み復帰力を接触荷重として接触する端子（メス端子）である。
【００１６】
そして、前記弾性撓み部２には、前記タブ部１１の挿入方向Ｄ（図４参照）の上流位置に配置され、且つ、前記タブ部１１の挿入方向Ｄの直交方向Ｅ（図４参照）に間隔を置いて配置された２つの前方インデント部４、５と前記タブ部１１の挿入方向Ｄの下流位置に配置され、且つ、前記タブ部１１の挿入方向Ｄの直行方向Ｅに対し２つの前記前方インデント部４，５の間に配置された後方インデント部６とが設けられている。
【００１７】
図５、図６および図７を参照する。図５は相手端子（雌端子）タブ部１１が箱部１に挿入された状態である。図６はタブ部１１が箱部１に挿入された斜視図である。図７はタブ部１１の挿入時の断面図である。
【００１８】
このように、相手端子（雌端子）タブ部１１には、２つの前方インデント部４，５と１つの後方インデント部６が同時に接触している。
【００１９】
前インデント部４，５が２点で接触するためタブ部１１の揺動を抑制でき接触が安定する。後方インデント部６で３点とすることにより揺動をさらに抑制でき接触が安定する。
【００２０】
後インデント部６で３点とすることにより、タブ部１１を差し込むときには、前方インデント部４，５がＥ方向に２つ配置されているので挿入する際にこの配置方向の揺動を抑制でき安定した挿入を行うことが可能となる。
【００２１】
この発明は前述の発明の実施形態に限定されることなく、適宜な変更を行うことにより、その他の態様で実施し得るものである。
【符号の説明】
【００２２】
１  箱部
２  弾性たわみ部
３  対向接触部
４  前方インデント部
５  前方インデント部
６  後方インデント部
【図１】
2015204264.tif 000003
【図２】
2015204264.tif 000004
【図３】
2015204264.tif 000005
【図４】
2015204264.tif 000006
【図５】
2015204264.tif 000007
【図６】
2015204264.tif 000008
【図７】
2015204264.tif 000009
【図８】
2015204264.tif 000010
【図９】
2015204264.tif 000011
【図１０】
2015204264.tif 000012